【手続補正書】
【提出日】平成19年12月6日(2007.12.6)
【手続補正１】
【補正対象書類名】明細書
【補正対象項目名】特許請求の範囲
【補正方法】変更
【補正の内容】
【特許請求の範囲】
【請求項１】  インターネットを介して実行されて、モバイルインターネット装置のユーザとインターネットを介して通信する他のユーザとの間で将来のイベントを調整するコンピュータの実行方法であって、
前記ユーザから前記モバイルインターネット装置を介して前記将来のイベントに関する将来の行動情報を受信する行程を含み、前記将来の行動は、前記将来の行動情報が受信される時に対する将来の時間に発生する行動に関係し、
インターネットに接続されたバックエンドデータベースに前記将来の行動情報を送信する行程を含み、前記バックエンドデータベースは前記モバイルインターネット装置からリモートし、
前記将来の行動情報をインターネットを介して少なくとも一人の受信者にアクセス可能にする行程を含み、前記受信者は、インターネットに接続され且つ前記ユーザと関与する前記将来のイベントに関係する情報へのアクセス権を有する前記ユーザの一部であることを特徴とする方法。
【請求項２】  請求項１記載のコンピュータの実行方法であって、前記アクセス可能にする行程は、前記将来の行動情報を前記受信者に対応する他のモバイルインターネット装置にアクセス可能にする行程を含むことを特徴とする方法。
【請求項３】  請求項１記載のコンピュータの実行方法であって、さらに、
前記ユーザから前記モバイルインターネット装置を介して前記将来のイベントに関する将来の場所情報を受信する行程を含み、前記将来の場所情報は前記将来の行動情報に対応した場所を記述するものであり、
前記将来の場所情報を前記将来の行動情報と共に前記バックエンドデータベースに送信する行程と、
前記将来の場所情報を前記将来の行動情報と共にインターネットを介して前記受信者にアクセス可能とする行程と、を含むことを特徴とする方法。
【請求項４】  請求項３記載のコンピュータの実行方法であって、前記将来の場所情報は、前記ユーザによって手で入力されることを特徴とする方法。
【請求項５】  請求項３記載のコンピュータの実行方法であって、前記将来の場所情報は、前記インターネット対応モバイル装置に関係する自動測位技術を使用せずに得られることを特徴とする方法。
【請求項６】  請求項３記載のコンピュータの実行方法であって、さらに、
前記モバイルインターネット装置を介して前記ユーザから前記将来のイベントに関する将来の時間情報を受信する行程を含み、前記将来の時間情報は前記将来の行動情報に対応した時間を記述するものであり、
前記将来の時間情報を前記将来の行動情報と共に前記バックエンドデータベースに送信する行程と、
前記将来の時間情報を、前記将来の行動情報及び前記将来の場所情報と共にインターネットを介して前記受信者にアクセス可能とする行程と、
を含むことを特徴とする方法。
【請求項７】  請求項６記載のコンピュータの実行方法であって、前記ユーザと関与する前記将来のイベントへの前記受信者によるアクセス権は、前記バックエンドデータベースでのプライベート設定制御を介して前記ユーザによって制御されることを特徴とする方法。
【請求項８】  請求項６記載のコンピュータの実行方法であって、前記モバイルインターネット装置は、インターネット対応パーソナルディジタルアシスタント（PDA）であることを特徴とする方法。
【請求項９】  請求項６記載のコンピュータの実行方法であって、前記モバイルインターネット装置は、インターネット対応携帯電話であることを特徴とする方法。
【請求項１０】  請求項９記載のコンピュータの実行方法であって、前記ユーザと関与する前記将来のイベントへの前記受信者によるアクセスは、前記バックエンドデータベースでのプライベート設定制御を介して前記ユーザによって制御されることを特徴とする方法。
【請求項１１】  請求項６記載のコンピュータの実行方法であって、更に、前記将来のイベントに関する情報が前記ユーザから受信されたときに前記受信者に通知を発する行程を含むことを特徴とする方法。
【請求項１２】  請求項１１記載のコンピュータの実行方法であって、前記受信者には前記将来のイベントに参加するための誘いによって通知が発せられ、前記誘いは、前記ユーザによって入力された前記将来のイベントに関する情報及び前記受信者に対応したアクセス権に反応して前記受信者に送信されることを特徴とする方法。
【請求項１３】  請求項６記載のコンピュータの実行方法であって、さらに、
前記受信者から検索基準を受信する行程を含み、前記検索基準は前記バックエンドデータベースを検索するためのフィルタリング情報を含み、
前記検索基準を使用して前記データベースを検索する行程と、
前記将来のイベントが前記検索基準を満たし且つ前記受信者が前記アクセス権を有する場合に前記将来のイベントに関する情報を前記受信者に送信する行程を含むことを特徴とする方法。
【請求項１４】  請求項６記載のコンピュータの実行方法であって、前記将来の行動情報を受信する行程と前記将来の行動情報を送信する行程とは、前記モバイルインターネット装置での前記調整用に特別に作成される常駐実行コードを使用せずに実施されることを特徴とする方法。
【請求項１５】  請求項６記載のコンピュータの実行方法であって、前記将来の行動情報を受信する行程は、ウェッブベースのフォームによって行われることを特徴とする方法。
【請求項１６】  第１のモバイルインターネット装置のユーザとインターネットを介して通信する他のユーザとの間で将来のイベントを調整するコンピュータ制御システムであって、
インターネットに接続されたサーバ装置を有し、前記サーバ装置は、第１のコード及び第２のコードを含み、前記第１のコードは、ウェッブベースのパラダイムを使用する第１のアプリケーションプログラムを前記第１のモバイルインターネット装置にて実行し、前記第１のアプリケーションプログラムは、前記サーバ装置から前記第１のインターネット装置に送信される前記第１のコードによって実行され、前記第１のアプリケーションプログラムは、前記将来のイベントに関する将来の行動情報を前記ユーザから受信し、前記将来の行動は、前記将来の行動情報が受信される時間に対する将来の時間に生じる行動に関係し、
前記サーバ装置に接続されたバックエンドデータベースを有し、前記バックエンドデータベースは、インターネットを介して前記第１のアプリケーションプログラムと通信し、前記バックエンドデータベースは、前記第１のアプリケーションプログラムから前記将来の行動情報を受信し、前記バックエンドデータベースは、前記第１のモバイルインターネット装置からリモートし、
前記第２のコードは、ウェッブベースのデータベースを使用する第２のアプリケーションプログラムを第２のモバイルインターネット装置にて実行し、前記第２のアプリケーションプログラムは、前記サーバ装置から前記第２のモバイルインターネット装置に送信される前記第２のコードによって実行され、前記第２のアプリケーションプログラムは、前記将来の行動情報を受信者に前記第２のモバイルインターネット装置を介して提供し、前記受信者は、インターネットに接続され且つ前記ユーザと関与する前記将来のイベントに関する情報へのアクセス権を有する前記ユーザの一部であることを特徴とするシステム。
【請求項１７】  請求項１６記載のコンピュータ制御システムであって、
前記第１のアプリケーションプログラムは、前記将来のイベントに関する将来の場所情報を前記ユーザから前記第１のモバイルインターネット装置を介して受信し、前記将来の場所情報は、前記将来の行動情報に関連した場所を記載し、
前記第２のアプリケーションプログラムは、前記将来の場所情報を、前記将来の行動情報と共にインターネットを介して前記受信者に対してアクセス可能とすることを特徴とするシステム。
【請求項１８】  請求項１７記載のコンピュータ制御システムであって、
前記将来の場所情報は、前記インターネット対応モバイル装置に関係する自動測位技術を使用せずに得られることを特徴とするシステム。
【請求項１９】  請求項１７記載のコンピュータ制御システムであって、
前記第１のアプリケーションプログラムは、前記将来のイベントに関する将来の時間情報を前記ユーザから前記第１のモバイルインターネット装置を介して受信し、前記将来の時間情報は、前記将来の行動情報に関連した時間を記載し、
前記第２のアプリケーションプログラムは、前記将来の時間情報を、前記将来の行動情報と共にインターネットを介して前記受信者に対してアクセス可能とすることを特徴とするシステム。
【請求項２０】  請求項１９記載のコンピュータ制御システムであって、前記ユーザと関与する前記将来のイベントへの前記受信者によるアクセス権は、前記バックエンドデータベースでのプライベート設定制御を介して前記ユーザによって制御されることを特徴とするシステム。
【請求項２１】  請求項１９記載のコンピュータ制御システムであって、前記第１モバイルインターネット装置は、インターネット対応パーソナルディジタルアシスタント（PDA）であることを特徴とするシステム。
【請求項２２】  請求項１９記載のコンピュータ制御システムであって、前記第１のモバイルインターネット装置は、インターネット対応携帯電話であることを特徴とするシステム。
【請求項２３】  請求項２２記載のコンピュータ制御システムであって、前記ユーザと関与する前記将来のイベントへの前記受信者によるアクセスは、前記バックエンドデータベースでのプライベート設定制御を介して前記ユーザによって制御されることを特徴とするシステム。
【請求項２４】  請求項１９記載のコンピュータ制御システムであって、さらに、
前記受信者から検索基準を受信する手段を含み、前記検索基準は前記バックエンドデータベースを検索するためのフィルタリング情報を含み、
前記検索基準を使用して前記データベースを検索する手段と、
前記将来のイベントが前記検索基準を満たし且つ前記受信者が前記アクセス権を有する場合に前記将来のイベントに関する情報を前記受信者に送信する手段を含むことを特徴とするシステム。
【請求項２５】  請求項１９記載のコンピュータ制御システムであって、前記将来の行動情報を受信する行程と前記将来の行動情報を送信する行程とは、前記第１のモバイルインターネット装置での前記調整用に特別に作成される常駐実行コードを使用せずに実施されることを特徴とするシステム。